(57)【要約】【課題】  静電容量式タッチパネルの複数物品検出方法の提供。【解決手段】  少なくとも一つの設定時間により雑音の干渉或いは物品のタッチパネル上の走査を判別し、正確に物品のタッチパネルに対する接触と分離を検出し、正確に各種の異なる動作の操作を検出する。【選択図】        図８
2007025804.tif 000002
【特許請求の範囲】
【請求項１】
静電容量式タッチパネルの複数物品検出方法において、
タッチパネルの感応量を検出し、少なくとも第１ピーク値と第２ピーク値を得るステップ、
該第１ピーク値と第２ピーク値がいずれもスレショルド値より大きい時、感応量の変化量を計算するステップ、
を包含し、そのうち、該感応量が設定時間内に増加の傾向を維持すれば、少なくとも二つの物品が該タッチパネルに接触することを表示することを特徴とする、静電容量式タッチパネルの複数物品検出方法。
【請求項２】
請求項１記載の静電容量式タッチパネルの複数物品検出方法において、更に、
タッチパネルに接触している物品数を計算するステップ、
該少なくとも二つの物品のタッチパネルに対する接触時間を計算するステップ、
該接触時間が第２設定時間に達する時、接触信号を送出するステップ、
を包含し、そのうち、接触時間計算時に、タッチパネル上の物品数が維持され不変であることを特徴とする、静電容量式タッチパネルの複数物品検出方法。
【請求項３】
請求項２記載の静電容量式タッチパネルの複数物品検出方法において、更に、該少なくとも二つの物品の位置を計算し、位置信号を送出するステップを包含することを特徴とする、静電容量式タッチパネルの複数物品検出方法。
【請求項４】
静電容量式タッチパネルの複数物品検出方法において、
少なくとも二つの物品のタッチパネルに対する接触を確認するステップ、
該タッチパネルの感応量を測定し、少なくとも第１ピーク値と第２ピーク値を得るステップ、
第１ピーク値と第２ピーク値の少なくとも一方がスレショルド値より小さい時、感応量の変化量を計算するステップ、
を包含し、そのうち、該スレショルド値より小さい第１或いは第２ピーク値が設定時間内に減少の傾向を維持すれば、少なくとも二つの物品中の少なくとも一つがタッチパネルより離れたことを示すことを特徴とする、静電容量式タッチパネルの複数物品検出方法。
【請求項５】
請求項４記載の静電容量式タッチパネルの複数物品検出方法において、少なくとも二つの物品のタッチパネルに対する接触を確認するステップが、
感応量を測定し、少なくとも第１ピーク値と第２ピーク値を得るステップ、
第１及び第２ピーク値がいずれもスレショルド値より大きい時、該感応量の変化量を計算するステップ、
を包含し、そのうち、感応量が第２設定時間内にあって増加の傾向を維持すれば、少なくとも二つの物品の該タッチパネルに対する接触を示すことを特徴とする、静電容量式タッチパネルの複数物品検出方法。
【請求項６】
請求項４記載の静電容量式タッチパネルの複数物品検出方法において、更に、
少なくとも一つの物品のタッチパネルからの分離時間を計算するステップ、
該分離時間が第２設定時間を超過する時、分離信号を送出するステップ、
該タッチパネル上に停留する物品数を計算するステップ、
を包含し、そのうち、該タッチパネル上に停留する物品数が零でない時、該タッチパネル上に停留する物品の位置を計算し、位置信号を送出することを特徴とする、静電容量式タッチパネルの複数物品検出方法。
【請求項７】
静電容量式タッチパネルの複数物品検出方法において、
少なくとも二つの物品のタッチパネルに対する接触を確認するステップ、
該少なくとも二つの物品の該タッチパネルに対する接触時間を計算するステップ、
該接触時間が第１設定時間より小さければ、全ての物品のタッチパネルからの分離を確認するステップ、
全ての物品の該タッチパネルからの分離時間を計算するステップ、
該分離時間が第２設定時間より大きければ、タップ信号を送出するステップ、
を包含し、そのうち、接触時間計算時に、タッチパネル上の物品数は不変に維持されることを特徴とする、静電容量式タッチパネルの複数物品検出方法。
【請求項８】
請求項７記載の静電容量式タッチパネルの複数物品検出方法において、少なくとも二つの物品のタッチパネルに対する接触を確認するステップが、
タッチパネルの感応量を測定し、少なくとも第１ピーク値と第２ピーク値を得るステップ、
第１及び第２ピーク値がいずれもスレショルド値より大きい時、該感応量の変化量を計算するステップ、
を包含し、そのうち、感応量が第２設定時間内にあって増加の傾向を維持すれば、少なくとも二つの物品の該タッチパネルに対する接触を示すことを特徴とする、静電容量式タッチパネルの複数物品検出方法。
【請求項９】
請求項８記載の静電容量式タッチパネルの複数物品検出方法において、少なくとも二つの物品のタッチパネル上の位置を計算して位置信号を送出するステップを更に包含することを特徴とする、静電容量式タッチパネルの複数物品検出方法。
【請求項１０】
請求項７記載の静電容量式タッチパネルの複数物品検出方法において、全ての物品のタッチパネルからの分離を確認するステップが、
該タッチパネルの感応量を測定し、少なくとも第１ピーク値と第２ピーク値を得るステップ、
第１ピーク値と第２ピーク値がいずれもスレショルド値より小さい時、感応量の変化量を計算するステップ、
を包含し、そのうち、感応量が第２設定時間内で減少の傾向を維持すれば、少なくとも二つの物品のタッチパネルからの分離を示すことを特徴とする、静電容量式タッチパネルの複数物品検出方法。
【請求項１１】
静電容量式タッチパネルの複数物品検出方法において、
少なくとも二つの物品のタッチパネルに対する接触を確認するステップ、
該タッチパネルに接触する物品数を計算するステップ、
該少なくとも二つの物品の該タッチパネルに対する第１接触時間を計算するステップ、  該第１接触時間が第１設定時間より小さければ、該少なくとも二つの物品の該タッチパネルからの分離を確認するステップ、
該少なくとも二つの物品のタッチパネルからの分離時間を計算するステップ、
該分離時間が第２設定時間より小さければ、少なくとも二つの物品のタッチパネルに対する接触を確認するステップ、
該少なくとも二つの物品のタッチパネルに対する第２接触時間を計算するステップ、
該第２接触時間が第３設定時間より小さければ、該少なくとも二つの物品のタッチパネルからの分離を確認するステップ、
ダブルタップ信号を送出するステップ、
を包含し、そのうち、第１及び第２接触時間計算時に、タッチパネル上の物品数は不変に維持されることを特徴とする、静電容量式タッチパネルの複数物品検出方法。
【請求項１２】
請求項１１記載の静電容量式タッチパネルの複数物品検出方法において、少なくとも二つの物品のタッチパネルに対する接触を確認するステップが、
タッチパネルの感応量を測定し、少なくとも第１ピーク値と第２ピーク値を得るステップ、
第１及び第２ピーク値がいずれもスレショルド値より大きい時、該感応量の変化量を計算するステップ、
を包含し、そのうち、感応量が第４設定時間内にあって増加の傾向を維持すれば、少なくとも二つの物品の該タッチパネルに対する接触を示すことを特徴とする、静電容量式タッチパネルの複数物品検出方法。
【請求項１３】
請求項１１記載の静電容量式タッチパネルの複数物品検出方法において、少なくとも二つの物品のタッチパネルからの分離を確認するステップが、
該タッチパネルの感応量を測定し、少なくとも第１ピーク値と第２ピーク値を得るステップ、
第１ピーク値と第２ピーク値がいずれもスレショルド値より小さい時、感応量の変化量を計算するステップ、
を包含し、そのうち、感応量が第４設定時間内で減少の傾向を維持すれば、少なくとも二つの物品のタッチパネルからの分離を示すことを特徴とする、静電容量式タッチパネルの複数物品検出方法。
【請求項１４】
請求項１１記載の静電容量式タッチパネルの複数物品検出方法において、少なくとも二つの物品のタッチパネル上の位置を計算して位置信号を送出するステップを更に包含することを特徴とする、静電容量式タッチパネルの複数物品検出方法。
【請求項１５】
静電容量式タッチパネルの複数物品検出方法において、
少なくとも二つの物品のタッチパネルに対する接触を確認するステップ、
該タッチパネルに接触する物品数を計算するステップ、
該少なくとも二つの物品の該タッチパネルに対する接触時間を計算するステップ、
該接触時間が設定時間より大きければ、該少なくとも二つの物品中の少なくとも一つの該タッチパネルからの分離を確認するステップ、
該タッチパネル上に停留する物品数を計算するステップ、
ドラッグ信号を送出するステップ、
を包含し、そのうち、接触時間計算時に、タッチパネル上の物品数は不変に維持され、少なくとも一つの物品が該タッチパネルから離れた後に、該タッチパネル上に停留する物品数は必ず１よりも大きいことを特徴とする、静電容量式タッチパネルの複数物品検出方法。
【請求項１６】
請求項１５記載の静電容量式タッチパネルの複数物品検出方法において、少なくとも二つの物品のタッチパネルに対する接触を確認するステップが、
タッチパネルの感応量を測定し、少なくとも第１ピーク値と第２ピーク値を得るステップ、
第１及び第２ピーク値がいずれもスレショルド値より大きい時、該感応量の変化量を計算するステップ、
を包含し、そのうち、感応量が第２設定時間内にあって増加の傾向を維持すれば、少なくとも二つの物品の該タッチパネルに対する接触を示すことを特徴とする、静電容量式タッチパネルの複数物品検出方法。
【請求項１７】
請求項１５記載の静電容量式タッチパネルの複数物品検出方法において、少なくとも二つの物品中の少なくとも一つのタッチパネルからの分離を確認するステップが、
該タッチパネルの感応量を測定し、少なくとも第１ピーク値と第２ピーク値を得るステップ、
第１ピーク値と第２ピーク値の少なくとも一つがスレショルド値より小さい時、感応量の変化量を計算するステップ、
を包含し、そのうち、スレショルド値より小さい第１或いは第２ピーク値が第２設定時間内で減少の傾向を維持すれば、少なくとも二つの物品中の少なくとも一つのタッチパネルからの分離を示すことを特徴とする、静電容量式タッチパネルの複数物品検出方法。
【請求項１８】
請求項１５記載の静電容量式タッチパネルの複数物品検出方法において、タッチパネル上に停留する全ての物品の位置を計算して位置信号を送出するステップを更に包含することを特徴とする、静電容量式タッチパネルの複数物品検出方法。
【発明の詳細な説明】
【技術分野】
【０００１】
本発明は一種の静電容量式タッチパネルの複数物品検出方法に係り、特に雑音防止の複数物品検出方法に関する。
【背景技術】
【０００２】
静電容量式タッチパネルは手指を平滑なパネル上でスライドさせてカーソル移動を制御する入力装置である。静電容量式タッチパネルの厚さは非常に薄く、ゆえに、超薄型のノートブック型コンピュータ、キーボード、デジタルプレイヤー或いはその他の装置中に設計可能であり、且つそれは機械式の設計でないため、メインテナンスが非常に簡便である。
【０００３】
図１は周知の二次元静電容量式タッチパネル１００を示し、それは、パネル１０２、Ｙ軸感応層１０４、絶縁層１０６、Ｘ軸感応層１０８及び底板１１０を包含する。手指１１２をパネル１０２に接触させる時、その接触位置の感応量（静電容量）が改変し、タッチパネル１００に接続された制御回路がタッチパネル上の静電容量を感応量に変換し、図２に示されるように、手指の位置、移動量及び移動の方向を判断する。周知の技術では、物品が静電容量式タッチパネル１００に接触したか否かは、その検出する感応量の大きさを判断の根拠となし、図３に示されるように、感応量がスレショルド値ｔｈより大きい時は、物品がタッチパネル１００に接触したことを示し、反対に感応量がスレショルド値ｔｈより小さい時は、物品がタッチパネル１００から離れるか或いはタッチパネル１００上に物品の存在がないことを示す。
【０００４】
しかし、タッチパネル１００は携帯電話等の無線装置信号の干渉を受けて雑音を発生し、このためにタッチパネル１００が物品がその上で接触、クリック、移動或いはその他の手動操作を行っていると誤認することがある。図４はタッチパネル１００上に発生した雑音を示し、この雑音がアナログデジタル変換されて感応量が得られ、図５に示されるようであり、その後、更にサンプリングされて図６の波形が得られ、このような波形は図７に示されるように二つの手指でタッチパネル１００に接触する時に発生する波形に類似し、これにより図４の雑音は二つの手指がタッチパネル１００に接触したと誤認されてエラー操作を形成しうる。
【発明の開示】
【発明が解決しようとする課題】
【０００５】
本発明の目的は、一種の静電容量式タッチパネルの複数物品検出方法を提供することにあり、それは雑音の干渉を防止できる方法であるものとする。
【課題を解決するための手段】
【０００６】
請求項１の発明は、静電容量式タッチパネルの複数物品検出方法において、
タッチパネルの感応量を検出し、少なくとも第１ピーク値と第２ピーク値を得るステップ、
該第１ピーク値と第２ピーク値がいずれもスレショルド値より大きい時、感応量の変化量を計算するステップ、
を包含し、そのうち、該感応量が設定時間内に増加の傾向を維持すれば、少なくとも二つの物品が該タッチパネルに接触することを表示することを特徴とする、静電容量式タッチパネルの複数物品検出方法としている。
請求項２の発明は、請求項１記載の静電容量式タッチパネルの複数物品検出方法において、更に、
タッチパネルに接触している物品数を計算するステップ、
該少なくとも二つの物品のタッチパネルに対する接触時間を計算するステップ、
該接触時間が第２設定時間に達する時、接触信号を送出するステップ、
を包含し、そのうち、接触時間計算時に、タッチパネル上の物品数が維持され不変であることを特徴とする、静電容量式タッチパネルの複数物品検出方法としている。
請求項３の発明は、請求項２記載の静電容量式タッチパネルの複数物品検出方法において、更に、該少なくとも二つの物品の位置を計算し、位置信号を送出するステップを包含することを特徴とする、静電容量式タッチパネルの複数物品検出方法としている。
請求項４の発明は、静電容量式タッチパネルの複数物品検出方法において、
少なくとも二つの物品のタッチパネルに対する接触を確認するステップ、
該タッチパネルの感応量を測定し、少なくとも第１ピーク値と第２ピーク値を得るステップ、
第１ピーク値と第２ピーク値の少なくとも一方がスレショルド値より小さい時、感応量の変化量を計算するステップ、
を包含し、そのうち、該スレショルド値より小さい第１或いは第２ピーク値が設定時間内に減少の傾向を維持すれば、少なくとも二つの物品中の少なくとも一つがタッチパネルより離れたことを示すことを特徴とする、静電容量式タッチパネルの複数物品検出方法としている。
請求項５の発明は、請求項４記載の静電容量式タッチパネルの複数物品検出方法において、少なくとも二つの物品のタッチパネルに対する接触を確認するステップが、
感応量を測定し、少なくとも第１ピーク値と第２ピーク値を得るステップ、
第１及び第２ピーク値がいずれもスレショルド値より大きい時、該感応量の変化量を計算するステップ、
を包含し、そのうち、感応量が第２設定時間内にあって増加の傾向を維持すれば、少なくとも二つの物品の該タッチパネルに対する接触を示すことを特徴とする、静電容量式タッチパネルの複数物品検出方法としている。
請求項６の発明は、請求項４記載の静電容量式タッチパネルの複数物品検出方法において、更に、
少なくとも一つの物品のタッチパネルからの分離時間を計算するステップ、
該分離時間が第２設定時間を超過する時、分離信号を送出するステップ、
該タッチパネル上に停留する物品数を計算するステップ、
を包含し、そのうち、該タッチパネル上に停留する物品数が零でない時、該タッチパネル上に停留する物品の位置を計算し、位置信号を送出することを特徴とする、静電容量式タッチパネルの複数物品検出方法としている。
請求項７の発明は、静電容量式タッチパネルの複数物品検出方法において、
少なくとも二つの物品のタッチパネルに対する接触を確認するステップ、
該少なくとも二つの物品の該タッチパネルに対する接触時間を計算するステップ、
該接触時間が第１設定時間より小さければ、全ての物品のタッチパネルからの分離を確認するステップ、
全ての物品の該タッチパネルからの分離時間を計算するステップ、
該分離時間が第２設定時間より大きければ、タップ信号を送出するステップ、
を包含し、そのうち、接触時間計算時に、タッチパネル上の物品数は不変に維持されることを特徴とする、静電容量式タッチパネルの複数物品検出方法としている。
請求項８の発明は、請求項７記載の静電容量式タッチパネルの複数物品検出方法において、少なくとも二つの物品のタッチパネルに対する接触を確認するステップが、
タッチパネルの感応量を測定し、少なくとも第１ピーク値と第２ピーク値を得るステップ、
第１及び第２ピーク値がいずれもスレショルド値より大きい時、該感応量の変化量を計算するステップ、
を包含し、そのうち、感応量が第２設定時間内にあって増加の傾向を維持すれば、少なくとも二つの物品の該タッチパネルに対する接触を示すことを特徴とする、静電容量式タッチパネルの複数物品検出方法としている。
請求項９の発明は、請求項８記載の静電容量式タッチパネルの複数物品検出方法において、少なくとも二つの物品のタッチパネル上の位置を計算して位置信号を送出するステップを更に包含することを特徴とする、静電容量式タッチパネルの複数物品検出方法としている。
請求項１０の発明は、請求項７記載の静電容量式タッチパネルの複数物品検出方法において、全ての物品のタッチパネルからの分離を確認するステップが、
該タッチパネルの感応量を測定し、少なくとも第１ピーク値と第２ピーク値を得るステップ、
第１ピーク値と第２ピーク値がいずれもスレショルド値より小さい時、感応量の変化量を計算するステップ、
を包含し、そのうち、感応量が第２設定時間内で減少の傾向を維持すれば、少なくとも二つの物品のタッチパネルからの分離を示すことを特徴とする、静電容量式タッチパネルの複数物品検出方法としている。
請求項１１の発明は、静電容量式タッチパネルの複数物品検出方法において、
少なくとも二つの物品のタッチパネルに対する接触を確認するステップ、
該タッチパネルに接触する物品数を計算するステップ、
該少なくとも二つの物品の該タッチパネルに対する第１接触時間を計算するステップ、  該第１接触時間が第１設定時間より小さければ、該少なくとも二つの物品の該タッチパネルからの分離を確認するステップ、
該少なくとも二つの物品のタッチパネルからの分離時間を計算するステップ、
該分離時間が第２設定時間より小さければ、少なくとも二つの物品のタッチパネルに対する接触を確認するステップ、
該少なくとも二つの物品のタッチパネルに対する第２接触時間を計算するステップ、
該第２接触時間が第３設定時間より小さければ、該少なくとも二つの物品のタッチパネルからの分離を確認するステップ、
ダブルタップ信号を送出するステップ、
を包含し、そのうち、第１及び第２接触時間計算時に、タッチパネル上の物品数は不変に維持されることを特徴とする、静電容量式タッチパネルの複数物品検出方法としている。
請求項１２の発明は、請求項１１記載の静電容量式タッチパネルの複数物品検出方法において、少なくとも二つの物品のタッチパネルに対する接触を確認するステップが、
タッチパネルの感応量を測定し、少なくとも第１ピーク値と第２ピーク値を得るステップ、
第１及び第２ピーク値がいずれもスレショルド値より大きい時、該感応量の変化量を計算するステップ、
を包含し、そのうち、感応量が第４設定時間内にあって増加の傾向を維持すれば、少なくとも二つの物品の該タッチパネルに対する接触を示すことを特徴とする、静電容量式タッチパネルの複数物品検出方法としている。
請求項１３の発明は、請求項１１記載の静電容量式タッチパネルの複数物品検出方法において、少なくとも二つの物品のタッチパネルからの分離を確認するステップが、
該タッチパネルの感応量を測定し、少なくとも第１ピーク値と第２ピーク値を得るステップ、
第１ピーク値と第２ピーク値がいずれもスレショルド値より小さい時、感応量の変化量を計算するステップ、
を包含し、そのうち、感応量が第４設定時間内で減少の傾向を維持すれば、少なくとも二つの物品のタッチパネルからの分離を示すことを特徴とする、静電容量式タッチパネルの複数物品検出方法としている。
請求項１４の発明は、請求項１１記載の静電容量式タッチパネルの複数物品検出方法において、少なくとも二つの物品のタッチパネル上の位置を計算して位置信号を送出するステップを更に包含することを特徴とする、静電容量式タッチパネルの複数物品検出方法としている。
請求項１５の発明は、静電容量式タッチパネルの複数物品検出方法において、
少なくとも二つの物品のタッチパネルに対する接触を確認するステップ、
該タッチパネルに接触する物品数を計算するステップ、
該少なくとも二つの物品の該タッチパネルに対する接触時間を計算するステップ、
該接触時間が設定時間より大きければ、該少なくとも二つの物品中の少なくとも一つの該タッチパネルからの分離を確認するステップ、
該タッチパネル上に停留する物品数を計算するステップ、
ドラッグ信号を送出するステップ、
を包含し、そのうち、接触時間計算時に、タッチパネル上の物品数は不変に維持され、少なくとも一つの物品が該タッチパネルから離れた後に、該タッチパネル上に停留する物品数は必ず１よりも大きいことを特徴とする、静電容量式タッチパネルの複数物品検出方法としている。
請求項１６の発明は、請求項１５記載の静電容量式タッチパネルの複数物品検出方法において、少なくとも二つの物品のタッチパネルに対する接触を確認するステップが、
タッチパネルの感応量を測定し、少なくとも第１ピーク値と第２ピーク値を得るステップ、
第１及び第２ピーク値がいずれもスレショルド値より大きい時、該感応量の変化量を計算するステップ、
を包含し、そのうち、感応量が第２設定時間内にあって増加の傾向を維持すれば、少なくとも二つの物品の該タッチパネルに対する接触を示すことを特徴とする、静電容量式タッチパネルの複数物品検出方法としている。
請求項１７の発明は、請求項１５記載の静電容量式タッチパネルの複数物品検出方法において、少なくとも二つの物品中の少なくとも一つのタッチパネルからの分離を確認するステップが、
該タッチパネルの感応量を測定し、少なくとも第１ピーク値と第２ピーク値を得るステップ、
第１ピーク値と第２ピーク値の少なくとも一つがスレショルド値より小さい時、感応量の変化量を計算するステップ、
を包含し、そのうち、スレショルド値より小さい第１或いは第２ピーク値が第２設定時間内で減少の傾向を維持すれば、少なくとも二つの物品中の少なくとも一つのタッチパネルからの分離を示すことを特徴とする、静電容量式タッチパネルの複数物品検出方法としている。
請求項１８の発明は、請求項１５記載の静電容量式タッチパネルの複数物品検出方法において、タッチパネル上に停留する全ての物品の位置を計算して位置信号を送出するステップを更に包含することを特徴とする、静電容量式タッチパネルの複数物品検出方法としている。
【発明の効果】
【０００７】
本発明によると、静電容量式タッチパネルの複数物品検出方法は、少なくとも一つの設定時間を設定することによりタッチパネル上の感応量変化が雑音によるか或いはタッチパネル上の操作によるものであるかを判断し、これにより正確に物品のタッチパネルに対する接触或いは分離を判断し、これにより正確に各種の異なる動作のを検出できる。
【発明を実施するための最良の形態】
【０００８】
図８は本発明の感応量の二つのピーク値がいずれもスレショルド値ｔｈより大きい時に検出された感応量変化を示し、そのうち、符号２００の曲線は今回検出された感応量曲線であり、符号２０２の曲線は前回検出された感応量曲線である。図９は図８の２回の感応量の差の値を示す。図１０は検出信号２０４を示す。図８、９及び図１０に示されるように、タッチパネル上の感応量を測定する時、図８に示されるように、検出される感応量の二つのピーク値がいずれもスレショルド値ｔｈより大きい時、検出信号２０４は図１０に示されるように、低準位から高準位に変化する。続いて時間ＴDounDetect内にあって、得られる感応量ｄＶがいずれも正の値である時、二つの物品がタッチパネルに接触していることが示される。そのうち、感応量の各一つのピーク値は一つの物品に対応し、これによりその他の実施例にあって、二つ以上の物品がタッチパネルに接触する時、該感応量はそれに対応して二つ以上のピーク値を現出する。
【０００９】
複数物品の接触動作（Ｔｏｕｃｈ  Ｇｅｓｔｕｒｅ）を確認する検出方法
図１１は検出信号２０６と接触信号２０８を表示する。少なくとも二つの物品がタッチパネルに接触する時、該少なくとも二つの物品のタッチパネル上での停留時間の計算を回線し、前述の「複数物品の接触を確認する検出方法」に符合し、物品のタッチパネルへの接触が確定した後、該タッチパネルに接触する物品の数を計算し、少なくとも二つの物品が続いてタッチパネルに停留する時間が設定時間ＴTouch より大きければ、複数物品接触信号２０８を送出し、並びに少なくとも二つの物品の位置を計算する。そのうち、該複数物品接触信号２０８は物品数を包含する情報とされうる。
【００１０】
複数物品分離を確認する検出方法
図１２は感応量の二つのピーク値がいずれもスレショルド値ｔｈより小さい時にに検出される感応量変化を示し、そのうち符号２１０の曲線は今回検出された感応量曲線であり、符号２１２の曲線は前回検出された感応量曲線である。図１３は図１２中の二回の感応量の差の値であり、図１４は検出信号２１４を示す。図１２、１３、及び図１４に示されるように、物品がタッチパネルに接触した後、一端検出される感応量の二つのピーク値の少なくとも一つのがスレショルド値ｔｈより小さくなると、例えば、この実施例では図１２に示されるように、感応量の二つのピーク値がいずれもスレショルド値ｔｈより小さくなったことが検出されるとき、図１４に示されるように、検出信号２１４は高準位から低準位に変化し、続いて時間ＴLiftDetect内にあって、続けて感応量が検出され、並びに毎回検出される感応量２１０より前回の感応量２１２が減算され、図１３に示されるように感応量差値ｄＶが得られ、時間ＴLiftDetect内にあって、得られた感応量差値ｄＶがいずれも負の値であれば、この二つの物品中の少なくとも一つがタッチパネルより離れたことを示す。
【００１１】
複数物品分離動作確認の検出方法
図１５は検出信号２１６と分離信号２１８を示す。物品がタッチパネルに接触した後、少なくとも一つの物品がタッチパネルより離れたことが検出された時、該少なくとも一つの物品のタッチパネルからの分離の時間が計算開始され、該タッチパネル上に停留する物品数が計算され、タッチパネル上に停留する物品がまだある時は、その位置を計算して位置信号を送出し、前述の「複数物品の分離を確認する検出方法」に符合し、且つ物品がタッチパネルから分離した時間が設定時間ＴLiftGesture より大きい時、分離信号２１８を送出する。同様に、該分離信号２１８は物品数の情報を包含しうる。
【００１２】
複数物品タップ動作（Ｔａｐ  Ｇｅｓｔｕｒｅ）の検出方法
図１６は検出信号２２０及びタップ信号２２２を表示する。少なくとも二つの物品のタッチパネルに対する接触を検出する時、図１６に示されるように、検出信号２２０は低準位から高準位に変化し、その物品のタッチパネルに対する接触時間の計算が開始され、及び、物品数が計算され、「複数物品の接触を確認する検出方法」に符合し、並びに接触時間が設定時間ＴTapDown より小さければ、全ての物品が該タッチパネルを離れたことが検出され、即ち検出信号２２０が高準位から低準位に変化し、該物品の該タッチパネルからの分離の時間が計算され、「複数物品の分離を確認する検出方法」に符合し、且つ分離時間が設定時間ＴTapLift より大きい時、タップ信号２２２を送出し、少なくとも二つの物品のタップ位置を計算し、位置信号を送出する。
【００１３】
複数物品のダブルタップ（Ｄｏｕｂｌｅ  Ｔａｐ）の検出方法
図１７は検出信号２２４とダブルタップ信号２２６を示す。少なくとも二つの物品が第一次にタッチパネルに接触する時、検出信号２２４は図１７に示されるように低準位から高準位に変わり、該物品のタッチパネルに接触する第１接触時間が計算され、及び物品数が計算され、「複数物品の分離を確認する検出方法」に符合することが確定され、且つ物品数が不変の情況下で、第１接触時間が設定時間ＴTapDown より小さければ、全ての物品が該タッチパネルより分離したことが検出され、検出信号２２４が高準位から低準位に変わり、少なくとも二つの物品のタッチパネルからの分離の時間が計算され、「複数物品の分離を確認する検出方法」に符合することが確定され、且つ分離時間が設定時間ＴTapLift より小さければ、全ての物品のタッチパネルに対する第二次接触が検出され、即ち検出信号２２４が再度低準位から高準位に変化し、第二次接触の第２接触時間が計算され、「複数物品の接触を確認する検出方法」に符合することが確定され、並びに物品数が不変の情況で、第２接触時間が設定時間ＴDoubleDownより小さい時、全ての物品が再度該タッチパネルより離れたことが検出され、即ち検出信号２２４が高準位から低準位に変わり、「複数物品の分離を確認する検出方法」に符合することが確定され、ダブルタップ信号２２６が送出され、同時に少なくとも二つの物品の位置が計算され、位置信号が送出される。
【００１４】
複数物品ドラッグ動作の検出方法
図１８は検出信号２２８とドラッグ信号２３０を示す。少なくとも二つの物品のタッチパネルに対する第一次接触を検出した時、検出信号２２８は図１８に示されるように低準位から高準位に変わり、この少なくとも二つの物品のタッチパネルに対する接触の第１接触時間が計算されると共に物品数が計算され、そのうち物品数は２以上でなければならず、「複数物品の接触を確認する検出方法」に符合することが確定され、且つ物品数が不変の情況で、第１接触時間が設定時間ＴTapDown より大きい時、少なくとも二つの物品中の少なくとも一つが該タッチパネルより離れたことが確定され「複数物品の分離を確認する検出方法」に符合し、並びにタッチパネル上に停留する物品数が１より大きい時、ドラッグ信号２３０が送出され、同時にその物品の位置が計算され、位置信号が送出される。
【００１５】
上述の各実施例中、感応量の変化及び設定時間との比較により、各種のタッチパネル上の操作が確認され、雑音干渉による誤認を防止できる。
【図面の簡単な説明】
【００１６】
【図１】周知の二次元静電容量式タッチパネルの表示図である。
【図２】図１のタッチパネル上の感応量と位置の関係図である。
【図３】二つの指でタッチパネルに接触した時に検出される感応量変化表示図である。
【図４】雑音の表示図である。
【図５】図４中の雑音をアナログ変換して得られる感応量波形図である。
【図６】図５をサンプリングして得られる波形図である。
【図７】二つの手指でタッチパネルに接触した時に得られる波形図である。
【図８】感応量がスレショルド値ｔｈより大きい時に検出される波形図である。
【図９】図８中の二回の感応量の差の値を示す図である。
【図１０】本発明を説明するための検出信号を表示する図である。
【図１１】検出信号と接触信号表示図である。
【図１２】感応量がスレショルド値ｔｈより小さい時に検出される感応量変化図である。
【図１３】図１２中の二回の感応量の差の値を示す図である。
【図１４】検出信号を示す図である。
【図１５】検出信号と分離信号を示す図である。
【図１６】検出信号とタップ信号を示す図である。
【図１７】検出信号とダブルタップ信号を示す図である。
【図１８】検出信号とドラッグ信号を示す図である。
【符号の説明】
【００１７】
１００  タッチパネル
１０２  パネル
１０４  Ｙ軸感応層
１０６  絶縁層
１０８  Ｘ軸感応層
１１０  底板
１１２  手指
２００  今回検出された感応量曲線
２０２  前回検出された感応量曲線曲線
２０４  検出信号
２０６  検出信号
２０８  接触信号
２１０  今回検出された感応量曲線
２１２  曲線前回検出された感応量曲線
２１４  検出信号
２１６  検出信号
２１８  分離信号
２２０  検出信号
２２２  タップ信号
２２４  検出信号
２２６  ダブルタップ信号
２２８  検出信号
２３０  ドラッグ信号
【図１】
2007025804.tif 000003
【図２】
2007025804.tif 000004
【図３】
2007025804.tif 000005
【図４】
2007025804.tif 000006
【図５】
2007025804.tif 000007
【図６】
2007025804.tif 000008
【図７】
2007025804.tif 000009
【図８】
2007025804.tif 000010
【図９】
2007025804.tif 000011
【図１０】
2007025804.tif 000012
【図１１】
2007025804.tif 000013
【図１２】
2007025804.tif 000014
【図１３】
2007025804.tif 000015
【図１４】
2007025804.tif 000016
【図１５】
2007025804.tif 000017
【図１６】
2007025804.tif 000018
【図１７】
2007025804.tif 000019
【図１８】
2007025804.tif 000020